(57)【要約】【課題】特定の電飾装置が搭載されていない状態で、特定の電飾装置に接続可能な接続部が接続先を有しない状態になることを防止することが可能な遊技機を提供する。【解決手段】抽選契機の発生に基づいて抽選を実行し、抽選の結果に応じた演出を実行する遊技機において、遊技機は、演出に用いられる特定の電飾装置に電気的に接続可能な第１接続部３９ｅを有する第１基板３９と、特手の電飾装置が搭載されていない状態で、第１接続部３９ｅと電気的に接続される第２接続部１８０ａを有し、かつ第１接続部３９ｅ以外に接続される接続部を有していない第２基板１８０と、を備える。【選択図】図６
2019058555.tif 000002
【特許請求の範囲】
【請求項１】
抽選契機の発生に基づいて抽選を実行し、抽選の結果に応じた演出を実行する遊技機において、
演出に用いられる特定の電飾装置に電気的に接続可能な第１接続部を有する第１基板と、
前記特定の電飾装置が搭載されていない状態で、前記第１接続部と電気的に接続される第２接続部を有し、かつ前記第１接続部以外に接続される接続部を有していない第２基板と、を備える、
ことを特徴とする遊技機。
【発明の詳細な説明】
【技術分野】
【０００１】
本発明は、遊技機に関する。
【背景技術】
【０００２】
従来、ＬＥＤが実装されて発光する電飾装置やモータにより駆動する可動体等、抽選の結果に応じた信号を中継基板等から受けて作動する演出装置が搭載され、該演出装置により遊技を盛り上げる演出を実行するパチンコ機やスロットマシン等の遊技機が知られている。この種の遊技機は、制御基板や中継基板等のプリント基板上に、接続先を有しないコネクタ（空きコネクタ）に対して不正基板等が接続されることや、不正信号が入力されること等の不正行為を防止するために、空きコネクタを設けないように構成されている。
【０００３】
また、上述した遊技機においては、中継基板と２つの演出装置のそれぞれとを接続する場合には二股のケーブルを使用し、中継基板と１つの演出装置とを接続する場合には１本に束ねられたケーブルを使用することで、搭載される演出装置の個数が異なる機種間で共通の中継基板を使用する場合であっても、中継基板上のコネクタが空きコネクタとなることを防止可能なものが提案されている（特許文献１参照）。
【先行技術文献】
【特許文献】
【０００４】
【特許文献１】特開２０１４−１６１５２８号公報
【発明の概要】
【発明が解決しようとする課題】
【０００５】
しかしながら、特許文献１に記載の遊技機は、特定のコネクタに接続すべき演出装置が搭載される機種と、接続すべき演出装置が１つも搭載されない機種と、の間で共通の中継基板を使用する場合に、該特定のコネクタが空きコネクタとなることを防止することができず、不正行為を防止することができないという問題があった。
【０００６】
そこで本発明は、特定の電飾装置が搭載されていない状態で、特定の電飾装置に接続可能な接続部が接続先を有しない状態になることを防止することが可能な遊技機を提供することを目的とするものである。
【課題を解決するための手段】
【０００７】
本発明に係る遊技機（１）は、
抽選契機の発生に基づいて抽選を実行し、抽選の結果に応じた演出を実行する遊技機（１）において、
演出に用いられる特定の電飾装置（３６）に電気的に接続可能な第１接続部（３９ｅ）を有する第１基板（３９）と、
前記特定の電飾装置（３６）が搭載されていない状態で、前記第１接続部（３９ｅ）と電気的に接続される第２接続部（１８０ａ）を有し、かつ前記第１接続部（３９ｅ）以外に接続される接続部を有していない第２基板（１８０）と、を備える、ことを特徴とする。
【０００８】
なお、上記カッコ内の符号は、図面と対照するためのものであるが、これは、発明の理解を容易にするための便宜的なものであり、特許請求の範囲の構成に何等影響を及ぼすものではない。
【発明の効果】
【０００９】
本発明に係る遊技機は、特定の電飾装置が搭載されていない状態で、第１接続部と電気的に接続される第２接続部を有し、かつ第１接続部以外に接続される接続部を有しない第２基板を設けたので、他の機種と共通に使用可能な第１基板を用いつつ第１基板の第１接続部が接続先を有しない状態となることを防止することが可能になり、設計コストを増大させることなく不正行為を防止することができる。
【図面の簡単な説明】
【００１０】
【図１】本発明の実施形態の遊技機の外観構成を示す斜視図である。
【図２】前面上扉を示す分解図である。
【図３】可動役物を示す分解図である。
【図４】左可動体、右可動体及び可動役物中継基板等を示す分解図で、（ａ）は、前方から視た分解図、（ｂ）は、後方から視た分解図である。
【図５】可動役物を示す分解図である。
【図６】左可動体、右可動体及び可動役物中継基板等を示す分解図で、（ａ）は、前方から視た分解図、（ｂ）は、後方から視た分解図である。
【図７】可動役物の上部の拡大図である。
【発明を実施するための形態】
【００１１】
以下、本実施形態について説明する。なお、以下に説明する本実施形態は、特許請求の範囲に記載された本発明の内容を不当に限定するものではない。また、本実施形態で説明される構成の全てが、本発明の必須構成要件であるとは限らない。更に、本実施の形態のスロットマシン１を説明する上で、遊技者が対向して着座する側を「前」、その反対側を「後」とし、前側から後側に向かった方向を基準として「左」又は「右」とする。
【００１２】
１．スロットマシンの構成
図１は、本発明の実施形態に係るスロットマシン１の外観構成を示す斜視図である。スロットマシン１は、いわゆる回胴式遊技機と呼ばれるもので、メダルを遊技媒体として用いた遊技を行う種類の遊技機である。
【００１３】
スロットマシン１は、６面体構造のうち遊技者に対向する１面が開口した箱形の筐体１０内の中央部に、外周面に一定間隔で複数種類の図柄が配列された第１リール〜第３リールを備えるリールユニット（不図示）が収められている。また、筐体１０内のリールユニットの下部には、メダルの払出装置としてのホッパーユニット（不図示）が収められている。また、筐体１０内には、ＣＰＵ、ＲＯＭ（情報記憶媒体の一例）、ＲＡＭ等を搭載し、スロットマシン１の動作を制御する主制御基板（不図示）や、各部品に電力を供給するための電源装置及び電源装置のオンとオフとを切り換える主電源スイッチを内蔵した電源ユニット（不図示）等も収められている。
【００１４】
スロットマシン１には、筐体１０の開口する面を被覆する前面上扉６１と前面下扉６２とが、個別に開閉可能に設けられている。前面上扉６１には、上述した第１リール〜第３リールの回転状態及び停止状態を観察可能にする図柄表示窓６３が設けられている。スロットマシン１には、図柄表示窓６３を通じて観察される図柄の表示位置として、各リールについて上段、中段、下段が設けられている。例えば第１リール〜第３リールの停止状態では、各リールの図柄のうち外周面上に連続して配列されている３つの図柄が上段、中段、下段の各表示位置に表示されて、これらの図柄をスロットマシン１の正面から図柄表示窓６３を通じて観察できるようになっている。
【００１５】
また、スロットマシン１は、各リールの上段、中段、下段の表示位置の組合せによって有効ラインが設定されている。スロットマシン１は、１回の遊技を行うために必要となるメダルの数、いわゆる規定投入数が３枚に設定されており、規定投入数に相当するメダルが投入されると、例えば各リールの中段の表示位置によって構成される有効ラインが有効化される。
【００１６】
そして、遊技結果は、図柄表示窓６３内の有効ライン上に停止表示された図柄の組合せによって判定され、有効ライン上の図柄の組合せが予め定められた役に対応した図柄の組合せである場合に、その役が入賞したものとしてホッパーユニットからメダルの払い出し等が行われる。
【００１７】
前面下扉６２の上部には、各種の操作手段が設けられている。操作手段としては、スロットマシン１内に電子的にクレジット（貯留）されたメダルの中から規定投入数のメダルを電子的に投入するマックスベットボタン６６、第１リール〜第３リールを回転させて遊技を開始する契機となる開始操作を遊技者に実行させるためのスタートレバー６７、回転中の第１リール〜第３リールのそれぞれを停止させる契機となる停止操作を遊技者に実行させるためのストップボタンＢ１〜ストップボタンＢ３及び貯留されたメダルを精算して全て排出するための精算ボタン６８が設けられている。
【００１８】
スロットマシン１は、遊技者が規定枚数以上のメダルをメダル投入口６９に投入するか、規定投入数以上のメダルが貯留されている状態でマックスベットボタン６６を押下することで、第１リール〜第３リールの回転制御を開始することが可能な準備状態にセットされる。そして、遊技者がスタートレバー６７を押下すると抽選契機が発生して、主制御基板の制御により、第１リール〜第３リールがステッピングモータで回転開始されると共に、乱数値を用いた内部抽選が行われ、第１リール〜第３リールの回転速度が所定の速度まで上昇し定常回転になってから、ストップボタンＢ１〜ストップボタンＢ３による停止操作が有効化される。
【００１９】
その後、遊技者が任意のタイミングでストップボタンＢ１〜ストップボタンＢ３を押下すると、主制御基板は、ストップボタンＢ１〜ストップボタンＢ３が押下されたタイミング及び内部抽選の結果に応じた停止位置で第１リール〜第３リールを停止させる。
【００２０】
また、主制御基板は、第１リール〜第３リールを停止させた後に、有効ライン上に停止している図柄の組合せ、つまり入賞した図柄の組合せに応じて、各種処理を実行する。主制御基板が実行する各種処理としては、例えば、入賞した図柄の組合せがメダルの払い出しを伴う小役の図柄の組合せである場合には、入賞した小役に設定されている配当に基づきホッパーユニットからメダルを払い出す払出処理や、入賞した図柄の組合せが遊技者にメダルを消費させることなく１回遊技を実行可能にするリプレイの図柄の組合せである場合には、規定投入数のメダルを投入状態に設定するリプレイ処理等がある。
【００２１】
前面下扉６２には、各種の操作手段の他に、遊技情報表示部７０や下パネル７１が設けられている。遊技情報表示部７０は、ＬＥＤ、ランプ、７セグメント表示器等からなり、メダルの貯留数、１回の遊技におけるメダルの払出数、ボーナス状態でのメダルの払出数の合計等の各種遊技情報が表示される。下パネル７１は、例えば遊技機のテーマや関連するキャラクタの画像や商品名等が印刷されて、背面側に配置されている光源（不図示）により照明している。
【００２２】
また、前面下扉６２の下部には、不図示のメダル払出口とメダル受け皿７２とが設けられており、遊技の結果に応じた枚数のメダルがメダル払出口からメダル受け皿７２へ払い出されるようになっている。また、例えば、スロットマシン１内にメダルが貯留されている状態で、精算ボタン６８が押下された場合、精算ボタン６８の押下に伴ってホッパーユニットから貯留されたメダルの枚数を排出する精算処理が実行され、ホッパーユニットがメダル払出口からメダル受け皿７２へメダルを排出する。
【００２３】
２．前面上扉の構成
続いて、前面上扉６１の詳細について図２を用いて説明する。図２は、前面上扉６１を示す分解図である。前面上扉６１は、上下一対の蝶番部材２０を介して筐体１０に連結されると共に、開口を有する枠状に形成されている金属製の金枠２１と、金枠２１の前方に配置され、開口２２ｄを有する枠状に形成されて前面上扉６１の各構成部品が取り付けられる合成樹脂性の樹脂枠２２と、を備え、蝶番部材２０の動作により筐体１０に対して開閉可能に設けられている。
【００２４】
樹脂枠２２の開口２２ｄは、左右方向に延伸して開口２２ｄの左右を接続する分割帯２２ａにより上下に分割されている。樹脂枠２２は、分割帯２２ａの下側に、図柄表示窓６３に対応するリール用開口２２ｃが形成され、分割帯２２ａの上側に、後方から遊技に係る演出として映像を表示するための表示装置２４が取り付けられる表示装置用開口２２ｂが形成されている。リール用開口２２ｃには、前方から透明な板状のリールパネル２３が取り付けられており、遊技者にリールパネル２３を通して各リールを観察可能とすると共に、各リールをリールパネル２３によって保護している。表示装置２４は、例えば液晶ディスプレイから構成され、遊技を補助したり、遊技を盛り上げたりするための各種の映像を表示する演出を実行するための平面状の表示面２４ａを有する。表示装置２４の前方には、演出を行うための可動役物２７又は可動役物１２７が設けられており、可動役物２７又は可動役物１２７の前方は、表示装置用開口２２ｂと略同じ大きさの透明な板材である保護パネル５５により覆われている。可動役物２７又は可動役物１２７の詳細は後述する。
【００２５】
保護パネル５５の前方には、内装された電飾基板が遊技者等に向けて発光することで遊技を盛り上げる演出を実行するための各電飾装置が設けられており、前面上扉６１の上部には上電飾装置５１が、左部には左電飾装置５２が、右部には右電飾装置５３が、下部にはリール用開口２２ｃの周囲を囲う下電飾装置５４が配置されて、それぞれ樹脂枠２２に取り付けられている。上電飾装置５１の上端と樹脂枠２２の上端とは、可動役物２７又は可動役物１２７の上方を覆う天板５６によって接続されている。また、前面上扉６１は、上電飾装置５１の下端、左電飾装置５２の右端、右電飾装置５３の左端及び下電飾装置５４の上端により、表示装置用開口２２ｂと略同じ大きさの演出表示窓６４（図１参照）が形成され、保護パネル５５を通して表示装置２４及び可動役物２７又は可動役物１２７の遊技演出が観察できるように構成されている。
【００２６】
また、表示装置２４の後方には、副制御基板ユニット２６が取り付けられている。副制御基板ユニット２６には、主制御基板からの信号に応じて、表示装置２４の作動、可動役物２７及び可動役物１２７の作動、並びに各電飾装置の発光等を制御する副制御基板２６ａが収納されている。副制御基板２６ａは、例えば、内部抽選の結果により主制御基板から出力された信号に応じて、可動役物２７及び可動役物１２７を発光及び駆動させる制御信号を出力し、可動役物２７又は可動役物１２７により演出を実行する。
【００２７】
３．可動役物の構成
スロットマシン１は、電飾装置が２つ搭載されている可動役物２７と、電飾装置が１つ搭載されている可動役物１２７と、の何れか一方を備える２種類の構成があり、これら何れの構成においても、後述する可動役物中継基板３９が共通で搭載されている。まず、電飾装置が２つ搭載されている可動役物２７の構成について図３を用いて説明する。図３は、可動役物２７を示す分解図である。
【００２８】
＜電飾装置が２つ搭載されている場合＞
図３に示すように、可動役物２７は、樹脂枠２２（図２参照）の前側に固定されるフレーム２８と、表示装置２４（図２参照）に表示される映像に連動して発光したり表示装置２４の前方で左右方向へスライド移動したりすることで、表示装置２４による演出効果を高める電飾装置として設けられ、図中左方に設けられた左可動体３６及び図中右方に設けられた右可動体３７と、左可動体３６及び右可動体３７を左右方向へスライド移動させる駆動装置２９と、を備える。フレーム２８は、演出表示窓６４（図１参照）に対応する開口２８ａと、下部において左右方向に延伸し、上方が開放し、左可動体３６及び右可動体３７の下端の前後方向への移動を規制するスライド溝２８ｂと、を有して、枠状に形成されている。左可動体３６及び右可動体３７は、それぞれ信号が入力されると発光する電飾基板８０（図４（ａ）参照）を内装している。左可動体３６及び右可動体３７の詳細は後述する。
【００２９】
駆動装置２９は、フレーム２８の左端から右端に亘って形成されてフレーム２８の上部に取り付けられており、左右方向へ延伸して左可動体３６及び右可動体３７の左右方向へのスライド移動を案内するガイド軸３２と、ガイド軸３２の左右両端に設けられてガイド軸３２をフレーム２８に固定する一対のガイド軸固定部材３４と、駆動装置２９の左端に固定されて左可動体３６を駆動する左モータ３０と、駆動装置２９の右端に固定されて右可動体３７を駆動する右モータ３１と、を備える。左モータ３０の動力は左可動体３６へ、右モータ３１の動力は右可動体３７へ、それぞれベルト（不図示）により伝達される。また、駆動装置２９には、駆動装置２９の左端から右端に亘って、左可動体３６及び右可動体３７の左右方向の位置を検出するための複数の光学センサ３３が設けられている。各光学センサ３３は、左可動体３６及び右可動体３７の何れかを検出すると、左可動体３６及び右可動体３７の何れかを検出したことを示す信号を出力する。
【００３０】
また、可動役物２７は、フレーム２８に固定されて、副制御基板２６ａ（図２参照）から出力された信号を左モータ３０、右モータ３１、各光学センサ３３、左可動体３６及び右可動体３７に分配する可動役物中継基板３９（第１基板）を備えている。可動役物中継基板３９は、左可動体ハーネス４０によって左可動体３６と、右可動体ハーネス４１によって右可動体３７と、それぞれ電気的に接続されると共に、図示しないハーネスによって、副制御基板２６ａ、左モータ３０、右モータ３１及び各光学センサ３３と、それぞれ電気的に接続されている。
【００３１】
また、可動役物２７は、左可動体ハーネス４０の前方への移動を規制する左中ハーネスガイド４２及び左ハーネスガイド４４、並びに右可動体ハーネス４１の前方への移動を規制する右中ハーネスガイド４３及び右ハーネスガイド４５を備える。左中ハーネスガイド４２、左ハーネスガイド４４、右中ハーネスガイド４３及び右ハーネスガイド４５は、それぞれフレーム２８に形成されている左中ハーネスガイド固定部２８ｃ、左ハーネスガイド固定部２８ｄ、右中ハーネスガイド固定部２８ｅ及び右ハーネスガイド固定部２８ｆに図示しないねじ等の締結部材で固定されている。左中ハーネスガイド４２、左ハーネスガイド４４、右中ハーネスガイド４３及び右ハーネスガイド４５により、左可動体３６及び右可動体３７が左右方向へスライド移動する際に、左可動体ハーネス４０及び右可動体ハーネス４１が折れ曲がることや駆動装置２９等に引掛かることを防いでいる。
【００３２】
副制御基板２６ａは、主制御基板から出力された信号と、各光学センサ３３から可動役物中継基板３９を介して入力された信号と、に応じて信号を出力し、可動役物中継基板３９を介して左可動体３６及び右可動体３７を発光させると共に、駆動装置２９の左モータ３０及び右モータ３１を駆動してガイド軸３２に沿って左可動体３６及び右可動体３７をそれぞれ独立して左右方向にスライド移動させる演出を実行する。
【００３３】
以下、左可動体３６の詳細について、図４を用いて説明をする。図４は、左可動体３６、右可動体３７及び可動役物中継基板３９等を示す分解図で、図４（ａ）は、前方から視た分解図、図４（ｂ）は、後方から視た分解図である。なお、右可動体３７の構成は、左可動体３６（特定の電飾装置）の構成と略同様であるため、以下、左可動体３６について説明し、右可動体３７については図に同一符号を付して説明を省略する。
【００３４】
図４（ａ）、（ｂ）に示すように、左可動体３６は、左可動体３６の上端に設けられて、ガイド軸３２（図３参照）の外径より僅かに大きい内径の穴が左右方向へ延伸するように形成されているホルダ８３と、左可動体３６の下端に設けられて、略鉛直方向の軸線を中心に回転自在に支持されている円筒状のローラ８４と、を備えている。左可動体３６は、ホルダ８３の穴がガイド軸３２に挿入されることにより、上部の上下前後方向への移動が規制され、ローラ８４がフレーム２８のスライド溝２８ｂ（図３参照）に嵌入されることにより、下部の前後方向への移動が規制されている。また、ホルダ８３は、光学センサ３３（図３参照）の発する光を遮断する検出部８３ａを有しており、左可動体３６の左右位置を光学センサ３３に検出させている。
【００３５】
また、左可動体３６は、電飾基板８０と、立体的な形状や塗装等により装飾が施されて電飾基板８０を内装する装飾カバー８１と、電飾基板８０の後面を覆う後面カバー８２と、を備えている。電飾基板８０の前面には、スロットマシン１の前方に向けて発光することで演出を盛り上げる複数のＬＥＤ８０ａが実装されており、電飾基板８０の上部には、可動役物中継基板３９からの信号が入力される可動体ハーネスコネクタ８０ｂが実装されている。装飾カバー８１は、少なくとも一部がＬＥＤ８０ａが発する光を前方へ透過する透過部（不図示）を有しており、ＬＥＤ８０ａが発する光を透過したり屈折させたり拡散させたりして、遊技者にＬＥＤ８０ａが発する光を視認させている。
【００３６】
可動役物中継基板３９は、後面に、副制御基板２６ａからの信号が入力される副制御基板コネクタ３９ａ、左モータ３０へ信号を出力する左モータコネクタ３９ｂ、右モータ３１へ信号を出力する右モータコネクタ３９ｃ、各光学センサ３３からの信号が入力される光学センサコネクタ３９ｄ、左可動体３６へ信号を出力する左可動体コネクタ３９ｅ（第１接続部）、及び右可動体３７へ信号を出力する右可動体コネクタ３９ｆが実装されている（図２参照）。左可動体ハーネス４０は、一端が左可動体コネクタ３９ｅに、他端が左可動体３６の可動体ハーネスコネクタ８０ｂに、それぞれ電気的に接続される。また、右可動体ハーネス４１は、一端が右可動体コネクタ３９ｆに、他端が右可動体３７の可動体ハーネスコネクタ８０ｂに、それぞれ電気的に接続される。
【００３７】
左可動体３６は、副制御基板２６ａから可動役物中継基板３９を介して出力される信号が電飾基板８０に入力されることで、電飾基板８０上のＬＥＤ８０ａを発光させることで前方へ向けて光を発し、遊技者に光を視認させることで演出を盛り上げるように構成されている。
【００３８】
＜電飾装置が１つ搭載されている場合＞
続いて、電飾装置が１つ搭載されている可動役物１２７の構成について図５乃至図７を用いて説明する。図５は、可動役物１２７を示す分解図、図６は、左可動体１３６、右可動体３７及び可動役物中継基板３９等を示す分解図で、図６（ａ）は、前方から視た分解図、図６（ｂ）は、後方から視た分解図、図７は、可動役物１２７の上部の拡大図である。可動役物１２７は、可動役物２７に対して一部の構成が異なり、可動役物２７と同様の構成については図に同一符号を付して説明を省略する。
【００３９】
可動役物１２７は、フレーム２８、右可動体３７、電飾基板８０を有していない左可動体１３６、駆動装置２９、可動役物中継基板３９、右可動体ハーネス４１、右中ハーネスガイド４３及び右ハーネスガイド４５を備える。左可動体１３６は、電飾基板８０を有しておらず、その他の構成については左可動体３６と同様である。左可動体１３６は、左モータ３０の動力がベルトで伝達されることにより、左右方向へスライド移動する。
【００４０】
可動役物１２７において、可動役物中継基板３９は、左中ハーネスガイド固定部２８ｃに図示しないねじ等の締結部材で固定されたプリント基板であり、可動役物中継基板３９と電気的に接続するコネクタ以外のコネクタを有しないことで、可動役物中継基板３９以外の基板と接続されず、可動役物中継基板３９及び副制御基板２６ａ（図２参照）への不正な接続を防止する基板である防犯基板１８０（第２基板）に、防犯基板ハーネス１４０によって電気的に接続されている。
【００４１】
防犯基板ハーネス１４０は、一端が可動役物中継基板３９上に実装されている左可動体コネクタ３９ｅに、他端が防犯基板１８０上に実装されている防犯基板コネクタ１８０ａ（第２接続部）に、それぞれ電気的に接続される。防犯基板１８０は、プリント基板からなり、プリント基板上にプリントされた配線と、該配線上に実装されている抵抗素子（不図示）と、を有し、防犯基板コネクタ１８０ａから入力された信号が抵抗素子に通電するように構成されている。
【００４２】
可動役物１２７は、左可動体１３６に電飾基板８０を有しておらず、電飾装置として右可動体３７を有するのみであることから、可動役物中継基板３９の左可動体コネクタ３９ｅについて、電飾装置へ信号を出力するために使用されることがない構成となっている。しかしながら、可動役物１２７においては、左可動体コネクタ３９ｅが接続先を有しない空きコネクタとなると、不正基板等が接続されることや、不正信号が入力されること等の不正行為を誘発する虞がある。このような不正行為の誘発を防ぐために左可動体コネクタ３９ｅを有しない可動役物中継基板を有するように構成した場合、スロットマシン１では、搭載される電飾装置の数によって実装される都度コネクタ数の異なる可動役物中継基板を新たに生産する必要が生まれてしまい、設計コストの増大に繋がってしまう。
【００４３】
このため、本実施形態のスロットマシン１においては、左可動体３６の代わりに可動役物中継基板３９と電気的に接続するコネクタ以外のコネクタを有しない防犯基板１８０を搭載し、可動役物中継基板３９の左可動体コネクタ３９ｅに防犯基板ハーネス１４０を介して防犯基板１８０の防犯基板コネクタ１８０ａが接続されることにより、左可動体コネクタ３９ｅが不正に外部に接続されてしまうことを防ぎ、不正行為が誘発されることを防いでいる。
【００４４】
なお、防犯基板１８０は、遊技に係る演出のために用いられないことから、ＬＥＤ等の演出に係る部品の実装が不要であると共に、基板の大きさについても電飾基板８０ａより小さいものとすることができるため、防犯基板１８０を設けることによる製作コストの増大を防止している。
【００４５】
このように、本実施形態のスロットマシン１は、演出に用いられる特定の電飾装置としての左可動体３６に接続可能な左可動体コネクタ３９ｅを有する可動役物中継基板３９と、左可動体３６が搭載されていない状態で、左可動体コネクタ３９ｅと電気的に接続される防犯基板コネクタ１８０ａを有し、可動役物中継基板３９と電気的に接続する防犯基板コネクタ１８０ａ以外のコネクタを有していない防犯基板１８０と、を備えている。
【００４６】
４．本実施形態のまとめ
以上のように、本実施形態のスロットマシン１は、左可動体３６が搭載されていない状態で、左可動体コネクタ３９ｅと電気的に接続される防犯基板コネクタ１８０ａを有し、かつ左可動体コネクタ３９ｅ以外に接続される接続部を有しない防犯基板１８０を設けたので、他の機種と共通に使用可能な可動役物中継基板３９を用いつつ可動役物中継基板３９の左可動体コネクタ３９ｅが接続先を有しない状態となることを防止することが可能になり、設計コストを増大させることなく不正行為を防止することができる。
【００４７】
５．変形例
なお、本実施形態において、スロットマシン１は、演出に用いられる特定の電飾装置としての左可動体３６が搭載されない状態で、可動役物中継基板３９の左可動体コネクタ３９ｅに防犯基板１８０の防犯基板コネクタ１８０ａが接続されるように構成されているが、これに限定されない。例えば、スロットマシン１は、特定の電飾装置としての右可動体３７を搭載しない状態で、可動役物中継基板３９の右可動体コネクタ３９ｆに防犯基板１８０の防犯基板コネクタ１８０ａが接続されるように構成されていてもよいし、特定の電飾装置としての左可動体３６及び右可動体３７が共に搭載されない状態で、左可動体コネクタ３９ｅ及び右可動体コネクタ３９ｆのそれぞれに防犯基板コネクタ１８０ａを接続し、２本の防犯基板コネクタ１８０ａのそれぞれに防犯基板１８０を電気的に接続するために、２枚の防犯基板１８０を搭載するように構成されていてもよい。また、スロットマシン１は、左可動体３６及び右可動体３７が共に搭載されない状態においては、２本の防犯基板コネクタ１８０ａの双方が１つの防犯基板に電気的に接続されるように構成されていてもよい。
【００４８】
また、本実施形態において、スロットマシン１は、可動役物中継基板３９に、最大で左可動体３６及び右可動体３７の２つの電飾装置を接続可能であるように構成されているが、これに限定されない。例えば、可動役物中継基板３９には、３つ以上の電飾装置を接続可能であり、それら何れかの電飾装置が搭載されない状態で、防犯基板コネクタ１８０ａによって接続される防犯基板１８０が搭載されるように構成されていてもよい。
【００４９】
また、本実施形態において、防犯基板１８０は、防犯基板コネクタ１８０ａと、配線と、抵抗素子と、を有するように構成されているが、これに限定されない。例えば、防犯基板１８０は、抵抗素子を有していなくてもよいし、電飾を目的として用いられる発光素子以外の電子素子を有していてもよい。具体的には、防犯基板１８０は、各光学センサ３３から可動役物中継基板３９への信号の入力により点灯と消灯とが切り替わるモニターＬＥＤ等を有していてもよい。このように構成された場合、スロットマシン１では、スロットマシン１を組み立てる作業者がモニターＬＥＤの点灯と消灯とを確認することで、可動役物１２７が正常に作動しているか否かを確認することができる。
【００５０】
なお、スロットマシン１では、モニターＬＥＤのように電飾以外の目的に用いられる発光素子の光について、副制御基板２６ａが電飾装置によって演出を実行する際の妨げとならないように構成されることが望ましい。具体的には、スロットマシン１は、演出を実行可能な通常状態と、可動役物１２７の作動を検査するために演出が実行されない検査状態と、を切換え可能に構成され、検査状態でのみモニターＬＥＤの発光が可能であるように構成されていてもよく、あるいは、副制御基板２６ａが電飾装置によって演出を実行する際にモニターＬＥＤを点灯可能だが、モニターＬＥＤが遊技者から視認しにくい位置、即ち遊技者が通常の遊技を行う視点ではない位置から覗き込むことにより辛うじて視認ができる位置に配置されることで、副制御基板２６ａが電飾装置によって演出を実行する際の妨げとならないように構成されていてもよい。
【００５１】
また、本実施形態において、スロットマシン１は、左可動体３６が演出に用いられる特定の電飾装置であるように構成されているが、これに限定されない。スロットマシン１は、特定の電飾装置として、例えば、上電飾装置５１、左電飾装置５２、右電飾装置５３及び下電飾装置５４の何れかのような、可動しない電飾装置を有する構成であってもよいし、スロットマシン１の他の部位に設けられるその他の電飾装置であってもよく、特定の電飾装置については、本実施形態に限定されるものではない。
【００５２】
また、本実施形態において、スロットマシン１は、可動役物中継基板３９を第１基板として有しているが、これに限定されない。スロットマシン１は、第１基板として、特定の電飾装置と副制御基板２６ａを中継する他の中継基板や、副制御基板２６ａを有していてもよく、いずれの基板が第１基板であってもよく、本実施形態に限定されるものではない。
【００５３】
また、本実施形態においては、遊技機の一例である、メダルを遊技媒体として用いた遊技を行うスロットマシンを例にして説明したが、本発明は、遊技球を遊技媒体として用いた遊技を行うスロットマシンや、入賞口への入球を抽選契機とした抽選が実行されるパチンコ機を含む弾球遊技機等の各種の遊技機に適用可能である。
【符号の説明】
【００５４】
１        スロットマシン（遊技機）
３６      左可動体（特定の電飾装置）
３９      可動役物中継基板（第１基板）
３９ｅ    左可動体コネクタ（第１接続部）
１８０    防犯基板（第２基板）
１８０ａ  防犯基板コネクタ（第２接続部）
【図１】
2019058555.tif 000003
【図２】
2019058555.tif 000004
【図３】
2019058555.tif 000005
【図４】
2019058555.tif 000006
【図５】
2019058555.tif 000007
【図６】
2019058555.tif 000008
【図７】
2019058555.tif 000009